(57)【要約】  伸縮により電荷を発生する複数の圧電繊維を備え、第１主面（２１）と第１主面（２１）の反対側に位置する第２主面（２２）とが形成され、少なくとも第１主面（２１）側において、伸縮により負の電荷を発生する複数の第１圧電繊維（３１）が配置されることを特徴とする。
2019077957.tif 000002
【特許請求の範囲】
【請求項１】
伸縮により電荷を発生する複数の圧電繊維を備え、
第１主面と該第１主面の反対側に位置する第２主面とが形成され、
少なくとも前記第１主面側において、伸縮により負の電荷を発生する複数の第１圧電繊維が配置される、
フィルタ。
【請求項２】
伸縮により電荷を発生する複数の圧電繊維を備え、
第１主面と該第１主面の反対側に位置する第２主面とが形成され、
少なくとも前記第２主面側において、伸縮により正の電荷を発生する複数の第２圧電繊維が配置される、
フィルタ。
【請求項３】
前記第１圧電繊維は張力をかけた状態を維持して保持部材に固定される、請求項１に記載のフィルタ。
【請求項４】
前記第２圧電繊維は張力をかけた状態を維持して保持部材に固定される、請求項２に記載のフィルタ。
【請求項５】
前記第１圧電繊維からなる縦糸と、前記第１圧電繊維からなる横糸と、を有する布帛であって、
前記縦糸および前記横糸は、保持部材に固定される、請求項３に記載のフィルタ。
【請求項６】
前記第２圧電繊維からなる縦糸と、前記第２圧電繊維からなる横糸と、を有する布帛であって、
前記縦糸および前記横糸は、保持部材に固定される、請求項４に記載のフィルタ。
【請求項７】
請求項１〜６に記載のフィルタと、
吸気口と、
排気口と、
前記吸気口と前記排気口とを連通させる連通路と、を備え、
前記フィルタは前記連通路に配置される、
空調装置。
【発明の詳細な説明】
【技術分野】
【０００１】
本発明の一実施形態は、フィルタおよび空調装置に関する。
【背景技術】
【０００２】
従来から、抗菌性を有するフィルタについては、多数の提案がなされている（特許文献１を参照）。特許文献１に記載のマスク用フィルタは、厚さ方向に開口する網目が設けられた網状生地に、粘性を有する薬剤を塗布して、網状生地に粘着力を付加し、粘着力が付加された網状生地に活性炭粒子を付着させてなる。
【先行技術文献】
【特許文献】
【０００３】
【特許文献１】特開２００６−３２０４９１号公報
【発明の概要】
【発明が解決しようとする課題】
【０００４】
特許文献１に記載のマスク用フィルタにおいて、塵、菌等の微粒子の除去という観点で改善の余地がある。【０００５】
そこで、本発明の一実施形態は、効率よく微粒子を除去することができるフィルタおよび空調装置を提供することを目的とする。
【課題を解決するための手段】
【０００６】
本発明の一実施形態に係るフィルタは、伸縮により電荷を発生する複数の圧電繊維を備え、第１主面と該第１主面の反対側に位置する第２主面とが形成され、少なくとも前記第１主面側において、伸縮により負の電荷を発生する複数の第１圧電繊維が配置されることを特徴とする。【０００７】
本発明の一実施形態に係るフィルタにおいては、使用時に伸縮させると、第１主面側において負の電荷が発生する。一般的に細菌及び真菌等は負に帯電している。このため第１主面側に接近した細菌及び真菌等を跳ね返すことができる。また、正に帯電している微粒子を吸着し、捕集することができる。これにより、細菌及び真菌等がフィルタの内部へ侵入することを防止できる。なお、本発明の一実施形態に係る圧電繊維は、負の電荷を発生する複数の第１圧電繊維と正の電荷を発生する複数の第２圧電繊維との少なくともいずれか一方を含む概念である。【０００８】
また、従来から、電場により細菌及び真菌等の増殖を抑制することができる事が知られている（例えば、土戸哲明，高麗寛紀，松岡英明，小泉淳一著、講談社：微生物制御−科学と工学を参照。また、例えば、高木浩一，高電圧・プラズマ技術の農業・食品分野への応用，J.HTSJ，Vol.51，No.216を参照）。また、この電場を生じさせている電位により、湿気等で形成された電流経路、又は局部的なミクロな放電現象等で形成された回路を電流が流れることがある。この電流により菌が弱体化し菌の増殖を抑制することが考えられる。本発明の一実施形態に係るフィルタにおいては、伸縮により負の電荷を発生する複数の第１圧電繊維を備えているため、繊維と繊維との間、あるいは人体等の所定の電位（グランド電位を含む。）を有する物に近接した場合に、電場を生じさせる。あるいは、複数の第１圧電繊維は、汗等の水分を介して、繊維と繊維との間、あるいは人体等の所定の電位（グランド電位を含む。）を有する物に近接した場合に、電流を流す。【０００９】
従って、本発明の一実施形態に係るフィルタにおいて複数の第１圧電繊維は、以下のような理由により抗菌効果を発揮する。人体等の所定の電位を有する物に近接して用いられる物（衣料、履物、又はマスク等の医療用品）に適用した場合に発生する電場又は電流の直接的な作用によって、菌の細胞膜や菌の生命維持のための電子伝達系に支障が生じ、菌が死滅する、或いは菌自体が弱体化する。さらに、電場もしくは電流によって水分中に含まれる酸素が活性酸素種に変化する場合がある、又は電場もしくは電流の存在によるストレス環境により菌の細胞内に酸素ラジカルが生成される場合がある、これらのラジカル類を踏む活性酸素種の作用により菌が死滅する、又は弱体化する。また、上記の理由が複合して抗菌効果を生じている場合もある。なお、本発明で言う「抗菌」とは、菌の発生を抑制する効果、また菌を死滅する効果の両方を含む概念である。【００１０】
また、圧電体を用いるため、圧電により電場を生じさせるため、電源が不要であるし、感電のおそれもない。また、圧電体の寿命は、薬剤等による抗菌効果よりも長く持続する。さらに、薬剤よりもアレルギー反応が生じるおそれは低い。【００１１】
本発明の一実施形態に係るフィルタは、伸縮により電荷を発生する複数の圧電繊維を備え、第１主面と該第１主面の反対側に位置する第２主面とが形成され、少なくとも前記第２主面側において、伸縮により正の電荷を発生する複数の第２圧電繊維が配置されることを特徴とする。【００１２】
本発明の一実施形態に係るフィルタにおいては、使用時に伸縮させると、第２主面側において正の電荷が発生する。このため第２主面側に接近した細菌及び真菌等を吸着させることができる。また、正に帯電した微粒子を跳ね返すことができる。これにより、細菌及び真菌等がフィルタの内部へ侵入することを防止できる。【００１３】
本発明の一実施形態に係る空調装置は、前記フィルタと、吸気口と、排気口と、前記吸気口と前記排気口とを連通させる連通路と、を備え、前記フィルタは前記連通路に配置されることを特徴とする。【００１４】
本発明の一実施形態に係る空調装置においては、前記フィルタを備えるため、花粉及び黄砂等の微粒子を吸着することができる。
【発明の効果】
【００１５】
この発明によれば、効率よく微粒子を除去することができるフィルタおよび空調装置を実現することができる。
【図面の簡単な説明】
【００１６】
【図１】図１（Ａ）は、第１圧電繊維の構成を示す図であり、図１（Ｂ）は、図１（Ａ）のＡ−Ａ線における断面図であり、図１（Ｃ）は、第２圧電繊維の構成を示す図であり、図１（Ｄ）は、図１（Ｃ）のＢ−Ｂ線における断面図である。
【図２】図２（Ａ）及び図２（Ｂ）は、ポリ乳酸の一軸延伸方向と、電場方向と、圧電糸の変形と、の関係を示す図である。
【図３】図３（Ａ）は、第１圧電繊維に張力が加わった時に各圧電繊維に生じるずり応力（せん断応力）を図示したものであり、図３（Ｂ）は、第２圧電繊維に張力が加わった時に各圧電繊維に生じるずり応力（せん断応力）を図示したものである。
【図４】図４（Ａ）は、第１圧電繊維及び第２圧電繊維における、電位を示す図であり、図４（Ｂ）は、電場を示す図である。
【図５】図５（Ａ）は、第１実施形態に係る抗菌マスクの構造の模式図であり、図５（Ｂ）は、第２実施形態に係る抗菌マスクの構造の模式図である。
【図６】図６は、第３実施形態に係る抗菌マスクの構造の模式図である。
【図７】図７（Ａ）は、第４実施形態に係る抗菌マスクの構造の模式図であり、図７（Ｂ）は、第５実施形態に係る抗菌マスクの構造の模式図である。
【図８】図８は、第６実施形態に係る抗菌マスクの構造の模式図である。
【図９】図９（Ａ）は、第７実施形態に係る抗菌ガーゼの構造の模式図であり、図９（Ｂ）は、第８実施形態に係る抗菌ガーゼの構造の模式図であり、図９（Ｃ）は、第９実施形態に係る抗菌ガーゼの構造の模式図である。
【図１０】図１０（Ａ）は、第１０実施形態に係るフィルタの模式図であり、図１０（Ｂ）及び図１０（Ｃ）は、図１０（Ａ）のＣ−Ｃ線における切断部端面図である。
【図１１】図１１（Ａ）〜１１（Ｄ）は、第１０実施形態に係るフィルタの構造の模式図である。
【図１２】図１２（Ａ）は、第１０実施形態に係るフィルタの変形例１の模式図であり、図１２（Ｂ）及び図１２（Ｃ）は、図１２（Ａ）のＤ−Ｄ線における切断部端面図である。
【図１３】図１３（Ａ）は、第１０実施形態に係るフィルタの変形例２の模式図であり、図１３（Ｂ）及び図１３（Ｃ）は、図１３（Ａ）のＥ−Ｅ線における切断部端面図である。
【図１４】図１４（Ａ）は、第１０実施形態に係るフィルタの変形例３の模式図であり、図１４（Ｂ）及び図１４（Ｃ）は、図１４（Ａ）のＦ−Ｆ線における切断部端面図である。
【図１５】図１５は、空調装置においてフィルタを使用する場合の模式図である。
【発明を実施するための形態】
【００１７】
図１（Ａ）は、第１圧電繊維の構成を示す図であり、図１（Ｂ）は、図１（Ａ）のＡ−Ａ線における断面図であり、図１（Ｃ）は、第２圧電繊維の構成を示す図であり、図１（Ｄ）は、図１（Ｃ）のＢ−Ｂ線における断面図である。なお、図１（Ａ）〜図１（Ｄ）においては、一例として７本の圧電糸１００が撚られてなる圧電繊維を示しているが、圧電糸１００の本数はこれに限られず、実際には用途等を鑑みて、適宜設定される。また、圧電繊維は複数の圧電糸を撚り合わせたものに限らず、芯糸又は軸芯となる空間に圧電フィルムが巻かれたカバリング糸であっても良い。さらに、説明の便宜上、先にフィルタを構成する圧電繊維及び、圧電繊維を構成する圧電繊維について説明を行った後、フィルタについて説明する。
【００１８】
圧電糸１００は、伸縮により電荷を発生する圧電繊維（電荷発生糸）の一例である。圧電糸１００は、機能性高分子、例えば圧電性ポリマーからなる。圧電性ポリマーとしては、例えばポリ乳酸（ＰＬＡ）が挙げられる。また、ポリ乳酸（ＰＬＡ）は、焦電性を有していない圧電性ポリマーである。ポリ乳酸は、一軸延伸されることで圧電性が生じる。ポリ乳酸には、Ｌ体モノマーが重合したＰＬＬＡと、Ｄ体モノマーが重合したＰＤＬＡと、がある。なお、圧電糸１００は機能性高分子の機能を阻害しないものであれば、機能性高分子以外のものをさらに含んでいてもよい。
【００１９】
ポリ乳酸は、キラル高分子であり、主鎖が螺旋構造を有する。ポリ乳酸は、一軸延伸されて分子が配向すると、圧電性を発現する。さらに熱処理を加えて結晶化度を高めると圧電定数が高くなる。一軸延伸されたポリ乳酸からなる圧電糸１００は、厚み方向を第１軸、延伸方向９００を第３軸、第１軸及び第３軸の両方に直交する方向を第２軸と定義したとき、圧電歪み定数としてｄ１４及びｄ２５のテンソル成分を有する。従って、ポリ乳酸は、一軸延伸された方向に対して４５度の方向に歪みが生じた場合に、最も効率よく電荷を発生する。
【００２０】
図２（Ａ）及び図２（Ｂ）は、ポリ乳酸の一軸延伸方向と、電場方向と、圧電糸１００の変形と、の関係を示す図である。図２（Ａ）に示すように、圧電糸１００は、第１対角線９１０Ａの方向に縮み、第１対角線９１０Ａに直交する第２対角線９１０Ｂの方向に伸びると、紙面の裏側から表側に向く方向に電場を生じる。すなわち、圧電糸１００は、紙面表側では、負の電荷が発生する。圧電糸１００は、図２（Ｂ）に示すように、第１対角線９１０Ａの方向に伸び、第２対角線９１０Ｂの方向に縮む場合も、電荷を発生するが、極性が逆になり、紙面の表面から裏側に向く方向に電場を生じる。すなわち、圧電糸１００は、紙面表側では、正の電荷が発生する。
【００２１】
ポリ乳酸は、延伸による分子の配向処理で圧電性が生じるため、ＰＶＤＦ等の他の圧電性ポリマー又は圧電セラミックスのように、ポーリング処理を行う必要がない。一軸延伸されたポリ乳酸の圧電定数は、５〜３０ｐＣ／Ｎ程度であり、高分子の中では非常に高い圧電定数を有する。さらに、ポリ乳酸の圧電定数は経時的に変動することがなく、極めて安定している。
【００２２】
圧電糸１００は、断面が円形状の繊維である。圧電糸１００は、例えば、圧電性高分子を押し出し成型して繊維化する手法、圧電性高分子を溶融紡糸して繊維化する手法（例えば、紡糸工程と延伸工程を分けて行う紡糸・延伸法、紡糸工程と延伸工程を連結した直延伸法、仮撚り工程も同時に行うことのできるPOY-DTY法、又は高速化を図った超高速防止法などを含む）、圧電性高分子を乾式あるいは湿式紡糸（例えば、溶媒に原料となるポリマーを溶解してノズルから押し出して繊維化するような相分離法もしくは乾湿紡糸法、溶媒を含んだままゲル状に均一に繊維化するようなゲル紡糸法、又は液晶溶液もしくは融体を用いて繊維化する液晶紡糸法、などを含む）により繊維化する手法、又は圧電性高分子を静電紡糸により繊維化する手法等により製造される。なお、圧電糸１００の断面形状は、円形に限るものではない。
【００２３】
第１圧電繊維３１及び第２圧電繊維３２は、このような、ＰＬＬＡの圧電糸１００を複数撚ってなる糸（マルチフィラメント糸）を構成する。第１圧電繊維３１は、圧電糸１００を右旋回して撚られた右旋回糸（以下、Ｓ糸と称する。）である。一方、第２圧電繊維３２は、圧電糸１００を左旋回して撚られた左旋回糸（以下、Ｚ糸と称する。）である。
【００２４】
各圧電糸１００の延伸方向９００は、それぞれの圧電糸１００の軸方向に一致している。第１圧電繊維３１においては、圧電糸１００の延伸方向９００は、第１圧電繊維３１の軸方向に対して、左に傾いた状態となる。一方、第２圧電繊維３２においては、圧電糸１００の延伸方向９００は、第２圧電繊維３２の軸方向に対して、右に傾いた状態となる。第１圧電繊維３１又は第２圧電繊維３２の軸方向に対する延伸方向９００の傾きの角度は、第１圧電繊維３１又は第２圧電繊維３２の撚り回数に依存する。従って、第１圧電繊維３１及び第２圧電繊維３２は撚り回数を調整することにより、第１圧電繊維３１及び第２圧電繊維３２の軸方向に対す圧電糸１００の傾きの角度を調整することができる。
【００２５】
図３（Ａ）は、第１圧電繊維に張力が加わった時に各圧電繊維に生じるずり応力（せん断応力）を図示したものであり、図３（Ｂ）は、第２圧電繊維に張力が加わった時に各圧電繊維に生じるずり応力（せん断応力）を図示したものである。
【００２６】
図３（Ａ）に示すように、Ｓ糸の第１圧電繊維３１に張力をかけた場合、第１圧電繊維３１の表面は図２（Ａ）に示すような状態となる。このため、第１圧電繊維３１の表面には負の電荷が発生し、内側には正の電荷が発生する。一方、図３（Ｂ）に示すように、Ｚ糸の第２圧電繊維３２に張力をかけた場合、第２圧電繊維３２の表面は図２（Ｂ）に示すような状態となる。このため、第２圧電繊維３２の表面には正の電荷が発生し、内側には負の電荷が発生する。
【００２７】
第１圧電繊維３１及び第２圧電繊維３２は、この電荷により生じる電位差によって電場を生じる。この電場は近傍の空間にも漏れて他の部分と結合電場を形成する。また、第１圧電繊維３１又は第２圧電繊維３２に生じる電位は、近接する所定の電位、例えば人体等の所定の電位（グランド電位を含む。）を有する物に近接した場合に、第１圧電繊維３１又は第２圧電繊維３２と該物との間に電場を生じさせる。
【００２８】
従来から、電場により細菌及び真菌の増殖を抑制することができる旨が知られている（例えば、土戸哲明，高麗寛紀，松岡英明，小泉淳一著、講談社：微生物制御−科学と工学を参照。また、例えば、高木浩一，高電圧・プラズマ技術の農業・食品分野への応用，J.HTSJ，Vol.51，No.216を参照）。また、この電場を生じさせている電位により、湿気等で形成された電流経路、又は局部的なミクロな放電現象等で形成された回路を電流が流れることがある。この電流により菌が弱体化し菌の増殖を抑制することが考えられる。なお、本実施形態で言う菌とは、細菌、真菌又はダニやノミ等の微生物を含む。
【００２９】
従って、第１圧電繊維３１は、第１圧電繊維３１の近傍に形成される電場によって、あるいは人体等の所定の電位を有する物に近接した場合に発生する電場によって、直接的に抗菌効果を発揮する。あるいは、第１圧電繊維３１は、汗等の水分を介して、近接する他の繊維又は人体等の所定の電位を有する物に近接した場合に電流を流す。この電流によっても、直接的に抗菌効果を発揮する場合がある。あるいは、電流又は電圧の作用により水分に含まれる酸素が変化した活性酸素種、さらに繊維中に含まれる添加材との相互作用又は触媒作用によって生じたラジカル種、又はその他の抗菌性化学種（アミン誘導体等）によって間接的に抗菌効果を発揮する場合がある。あるいは、電場又は電流の存在によるストレス環境により菌の細胞内に酸素ラジカルが生成される場合がある、これにより第１圧電繊維３１が、間接的に抗菌効果を発揮する場合がある。また、第２圧電繊維３２も第１圧電繊維３１と同様に直接的又は間接的に抗菌効果を発揮することができる。ラジカルとしては、スーパーオキシドアニオンラジカル（活性酸素）又はヒドロキシラジカルの発生が考えられる。なお、本実施形態で言う「抗菌」とは、菌の発生を抑制する効果、また菌を死滅する効果の両方を含む概念である。
【００３０】
図４（Ａ）は、第１圧電繊維及び第２圧電繊維における、電位を示す図であり、図４（Ｂ）は、電場を示す図である。なお、図４（Ａ）及び図４（Ｂ）においては、一例として７本の圧電糸が撚られてなる圧電繊維を示している。
【００３１】
第１圧電繊維３１（Ｓ糸）及び第２圧電繊維３２（Ｚ糸）がＰＬＬＡで形成された場合、第１圧電繊維３１単独では、張力が加わった時に表面が負の電位になり、第１圧電繊維３１の内部は正の電位になる。第２圧電繊維３２単独では、張力が加わった時に表面が正の電位になり、第２圧電繊維３２の内部は負の電位になる。
【００３２】
ここで、Ｓ糸である第１圧電繊維３１とＺ糸である第２圧電繊維３２とを近接させると、第１圧電繊維３１と第２圧電繊維３２との間に比較的強い電場を生じさせることができる。例えば、近接する部分（表面）は同電位となるように、Ｚ糸の中心部は負の電位、Ｓ糸の中心部は正の電位となる。この場合、第１圧電繊維３１と第２圧電繊維３２との近接部は０Ｖとなり、元々の電位差を保つように、第１圧電繊維３１の内部の正の電位はさらに高くなる。同様に第２圧電繊維３２の内部の負の電位はさらに低くなる。
【００３３】
第１圧電繊維３１の断面では、主に中心から外に向かう電場が形成され、第２圧電繊維３２の断面では主に中心から内に向かう電場が形成される。第１圧電繊維３１及び第２圧電繊維３２を近接させた場合、これらの電場が空気中に漏れ出て結合し、第１圧電繊維３１及び第２圧電繊維３２の間で電場回路が形成される。すなわち、各所の電位差は、繊維同士が複雑に絡み合うことにより形成される電場結合回路、又は水分等で糸の中に偶発的に形成される電流パスで形成される回路により定義される。
【００３４】
図５（Ａ）は、第１実施形態に係る抗菌マスクの構造の模式図であり、図５（Ｂ）は、第２実施形態に係る抗菌マスクの構造の模式図である。
【００３５】
図５（Ａ）に示すように、第１実施形態に係る抗菌マスク５１は、フィルタ１０１を備える。なお、図において、抗菌マスクにおいては、フィルタのみ示し、後の部分は省略する。以下、第２実施形態から第６実施形態の説明においても同様である。
【００３６】
フィルタ１０１は、ヒトの口や鼻を覆うように例えば長方形の形状に形成されている。フィルタ１０１は、第１主面２１と第１主面２１の反対側に位置する第２主面２２とが形成されている。抗菌マスク５１においては、第２主面２２が使用者Ｕ側に位置する。なお、フィルタ１０１の形状については長方形に限らず、ひし形や多角形、円形、楕円形であっても良い。
【００３７】
フィルタ１０１は、外層１１と内層１２とを備える。第１主面２１側には外層１１が、第２主面２２側には内層１２が、配置されている。第１主面２１側の外層１１において、複数の第１圧電繊維３１が配置されている。例えば、外層１１は、第１圧電繊維３１を編糸として用いて編んだ編物、第１圧電繊維３１を備える不織布、又は第１圧電繊維３１を織った織物などを含む。
【００３８】
フィルタ１０１を構成する糸は、表面に負の電荷を発生させる第１圧電繊維３１以外の糸を備えていてもよい。第１圧電繊維３１の使用量を調節することにより、用途に応じて発生させる電荷の極性の割合等を調節することができる。通常、圧電繊維は綿糸等に比べて肌触りが悪いため、ユーザが着用すると皮膚が刺激される場合がある。このため、フィルタ１０１に電荷を発生しない糸（綿糸等）を一部使用することによって、フィルタ１０１の肌触りがよくなり、皮膚への刺激が緩和される。
【００３９】
フィルタ１０１に圧電体を用いるため、圧電により電場を生じさせることができる。このため、フィルタ１０１には電源が不要であるし、感電のおそれもない。また、圧電体の寿命は、薬剤等による抗菌効果よりも長く持続する。また、薬剤よりもアレルギー反応が生じるおそれは低い。
【００４０】
使用時にフィルタ１０１が延伸されると、外層１１において、第１圧電繊維３１の表面には負の電荷が発生する。負に帯電する細菌及び真菌等８１が第１主面２１側に接近すると、第１圧電繊維３１が発生する負の電荷により細菌及び真菌等８１が跳ね返される。これにより、細菌及び真菌等８１がフィルタ１０１の内部へ侵入することを防止できる。
【００４１】
なお、フィルタ１０１は、全て第１圧電繊維３１で構成されていても良い。また、フィルタ１０１は、普通布で構成したフィルタの周囲に第１圧電繊維３１で構成したフィルタを枠状に付加するものであっても良い。第１圧電繊維３１で構成したフィルタを枠状に設けた場合、中央部に位置する普通布は細菌及び真菌等８１を吸着しやすい。これにより、第１圧電繊維３１で跳ね返せなかった細菌及び真菌等８１が普通布に吸着することにより、体内に取り込まれてしまうことを防止することができる。
【００４２】
なお、フィルタ１０１は、全体として均一に形成されていなくてもよい。例えば、フィルタ１０１の生地の目の粗さを中央部で粗く、かつ端部に向かうに従って密になるように構成する。その他、フィルタ１０１は、普通布と第１圧電繊維３１とをパッチワーク状に組み合わせることにより部分的に第１圧電繊維３１を配置しても良い。
【００４３】
フィルタ１０１に普通布を組み合わせた場合、全て第１圧電繊維３１で構成された場合に比べて、フィルタ１０１全体から発生する負の電荷は小さくなるため、細菌及び真菌等８１を跳ね返す効果は弱くなる。しかしながら、第１圧電繊維３１が細菌及び真菌等８１を、普通布で付着する前に跳ね返す場合もあるため、ある程度の抗菌効果を奏することができる。また、フィルタ１０１に普通布を組み合わせた場合、普通布は吸湿性に優れるため、抗菌効果だけでなく通気性を確保することができる。
【００４４】
フィルタ１０１に普通布を組み合わせた場合、普通布と第１圧電繊維３１との割合は、面積比で２：８〜８：２までの間であることが好ましい。フィルタ１０１が所定の割合の普通布を含むことにより、細菌及び真菌等８１をある程度吸着することができ、かつ通気性を確保できる。また、フィルタ１０１が所定の割合の第１圧電繊維３１を含むことにより、細菌及び真菌等８１を十分に跳ね返すことができる。
【００４５】
なお、抗菌マスク５１は、ヒトの口や鼻を覆うような一般的なマスクの形状に限られず、例えばヒトの口だけを覆うような形状であってもよい。細菌及び真菌等８１が口へ侵入することを防止する。また、フィルタ１０１は、周囲の細菌及び真菌等８１を跳ね返すため、鼻の周囲の細菌及び真菌等８１が鼻へ侵入することを防止する。これにより、このような形状の抗菌マスク５１を使用した場合、細菌及び真菌等８１が口や鼻への侵入することを防止するだけでなく、鼻が外部へ露出されているため使用者は呼吸しやすくなる。
【００４６】
なお、フィルタ１０１に用いる第１圧電繊維３１は、発生する電荷の大きさが異なる糸を含んでいてもよい。フィルタ１０１に細菌及び真菌等８１が付着した場合、フィルタ１０１の中で電位差が生じ、発生した電位差による抗菌効果を得ることができる。発生する電荷の大きさが異なる糸は、撚り回数の異なる糸を組み合わせたものでもよいし、１本の糸の中で部分的に撚り回数が異なる糸を組み合わせたものでもよいし、またその両方を組み合わせたものでもよい。
【００４７】
以下、第２実施形態に係る抗菌マスクについて説明する。第２実施形態に係る抗菌マスクの説明においては、第１実施形態と異なる点についてのみ説明を行い、同様の点については説明を省略する。
【００４８】
図５（Ｂ）に示すように、第２実施形態に係る抗菌マスク５２は、フィルタ１０２を備える。フィルタ１０２は、外層１１と内層１２とを備える。第２主面２２側の内層１２において、複数の第２圧電繊維３２が配置されている。
【００４９】
使用時にフィルタ１０２が延伸されると、内層１２において、第２圧電繊維３２の表面には正の電荷が発生する。使用者Ｕから排出された負に帯電する細菌及び真菌等８１が第２主面２２側に接近すると、第２圧電繊維３２が発生する正の電荷により細菌及び真菌等８１は内層１２に吸着される。これにより、使用者Ｕから排出された細菌及び真菌等８１が再び呼吸などにより使用者Ｕへ吸入又は付着されることを防止できる。また、細菌及び真菌等８１を一度フィルタ１０２へ吸着させるため、フィルタ１０２で発生した電荷により捕菌した菌及び真菌等８１に対して抗菌効果を効率よく奏することができる。
【００５０】
また、フィルタ１０２が延伸されたときのみ、フィルタ１０２には正の電荷を発生させることができる。使用時以外、例えば保管中には正の電荷を発生させることがない。このため、保管中に正の電荷が発生することにより、不要な細菌及び真菌等８１がフィルタ１０２に付着することを防止することができる。
【００５１】
なお、フィルタ１０２は、全て第２圧電繊維３２で構成されていても良い。また、フィルタ１０２は、普通布で構成したフィルタの周囲に第２圧電繊維３２で構成したフィルタを枠状に付加するものであっても良い。第２圧電繊維３２で構成したフィルタを枠状に設けた場合、中央部に位置する普通布は細菌及び真菌等８１を吸着しやすい。これにより、第２圧電繊維３２で吸着しきれなかった細菌及び真菌等８１が普通布に吸着することにより、体内に取り込まれてしまうことをさらに防止することができる。
【００５２】
フィルタ１０２に普通布を組み合わせた場合、全て第２圧電繊維３２で構成された場合に比べて、フィルタ１０２全体から発生する正の電荷は小さくなるため、細菌及び真菌等８１を吸着する効果は弱くなる。しかしながら、普通布は吸湿性に優れるため、フィルタ１０２に普通布を組み合わせた場合、通気性を確保することができる。
【００５３】
フィルタ１０２に普通布を組み合わせた場合、普通布と第２圧電繊維３２との割合は、面積比で２：８〜８：２までの間であることが好ましい。フィルタ１０２が所定の割合の普通布を含むことにより、通気性を確保できる。また、フィルタ１０２が所定の割合の第２圧電繊維３２を含むことにより、細菌及び真菌等８１を十分に吸着する効果も得られる。
【００５４】
なお、抗菌マスク５２は、ヒトの口だけを覆うような形状であってもよい。ヒトの口から飛沫された細菌及び真菌等８１を吸着することにより、再び口へ侵入することを防止する。また、フィルタ１０２は、周囲の細菌及び真菌等８１を吸着するため、鼻の周囲の細菌及び真菌等８１が鼻へ侵入することを防止する。これにより、このような形状の抗菌マスク５２を使用した場合、細菌及び真菌等８１が口や鼻への侵入することを防止するだけでなく、鼻が外部へ露出されているため使用者は呼吸しやすくなる。
【００５５】
なお、フィルタ１０２に用いる第２圧電繊維３２は、発生する電荷の大きさが異なる糸を含んでいてもよい。フィルタ１０２に細菌及び真菌等８１が付着した場合、フィルタ１０２の中で電位差が生じ、発生した電位差による抗菌効果を得ることができる。発生する電荷の大きさが異なる糸は、撚り回数の異なる糸を組み合わせたものでもよいし、１本の糸の中で部分的に撚り回数が異なる糸を組み合わせたものでもよいし、またその両方を組み合わせたものでもよい。
【００５６】
以下、第３実施形態に係る抗菌マスクについて説明する。図６は、第３実施形態に係る抗菌マスクの構造の模式図である。第３実施形態に係る抗菌マスク５３の説明においては、第１実施形態と異なる点についてのみ説明を行い、同様の点については説明を省略する。
【００５７】
図６に示すように、第３実施形態に係る抗菌マスク５３は、フィルタ１０３を備える。フィルタ１０３は、外層１１と内層１２とを備える。第１主面２１側の外層１１において、複数の第１圧電繊維３１が配置されている。第２主面２２側の内層１２において、複数の第２圧電繊維３２が配置されている。
【００５８】
使用時にフィルタ１０３が延伸されると、内層１２において、第２圧電繊維３２の表面には正の電荷が発生する。これにより、使用者Ｕから排出された細菌及び真菌等８１が再び呼吸などにより使用者Ｕへ吸入又は付着されることを防止できる。また、細菌及び真菌等８１を一度フィルタ１０３へ吸着させるため、フィルタ１０３で発生した電荷により捕菌した菌及び真菌等８１に対して抗菌効果を効率よく奏することができる。
【００５９】
これと同時に、フィルタ１０３が延伸されると、外層１１において、第１圧電繊維３１の表面には負の電荷が発生する。これにより、細菌及び真菌等８１がフィルタ１０３の内部へ侵入することを防止できる。
【００６０】
なお、フィルタ１０３に用いる第１圧電繊維３１および第２圧電繊維３２は、フィルタ１０１に用いる第１圧電繊維３１またはフィルタ１０２に用いる第２圧電繊維３２と同様に、発生する電荷の大きさが異なる糸を含んでいてもよい。
【００６１】
以下、第４実施形態及び第５実施形態に係る抗菌マスクについて説明する。図７（Ａ）は、第４実施形態に係る抗菌マスクの構造の模式図であり、図７（Ｂ）は、第５実施形態に係る抗菌マスクの構造の模式図である。第４実施形態及び第５実施形態に係る抗菌マスクの説明においては、第３実施形態と異なる点についてのみ説明を行い、同様の点については説明を省略する。
【００６２】
図７（Ａ）に示すように、第４実施形態に係る抗菌マスク５４は、フィルタ１０４を備える。フィルタ１０４は、外層１１と内層１２とを備える。第１主面２１側の外層１１において、複数の第１圧電繊維３１が配置されている。第２主面２２側の内層１２において、複数の第１圧電繊維３１及び複数の第２圧電繊維３２が配置されている。
【００６３】
使用時にフィルタ１０４が延伸されると、内層１２において、第２圧電繊維３２の表面には正の電荷が発生する。これにより、使用者Ｕから排出された細菌及び真菌等８１が再び呼吸などにより使用者Ｕへ吸入又は付着されることを防止できる。これと同時に内層１２において、第１圧電繊維３１の表面には負の電荷が発生する。内層１２において、正及び負の電荷が共に発生するため、第１圧電繊維３１及び第２圧電繊維３２の間では比較的大きな電圧が発生する。これにより内層１２において吸着された細菌及び真菌等８１に対して、さらに効率よく抗菌効果を奏することができる。
【００６４】
図７（Ｂ）に示すように、第５実施形態に係る抗菌マスク５５は、フィルタ１０５を備える。フィルタ１０５は、外層１１と内層１２とを備える。第１主面２１側の外層１１において、複数の第１圧電繊維３１及び複数の第２圧電繊維３２が配置されている。第２主面２２側の内層１２において、複数の第２圧電繊維３２が配置されている。
【００６５】
使用時にフィルタ１０５が延伸されると、外層１１において、第１圧電繊維３１の表面には負の電荷が発生する。これにより、細菌及び真菌等８１がフィルタ１０５の内部へ侵入することを防止できる。これと同時に外層１１において、第２圧電繊維３２の表面には正の電荷が発生する。外層１１において、正及び負の電荷が共に発生するため、第１圧電繊維３１及び第２圧電繊維３２の間では比較的大きな電圧が発生する。これにより外層１１において跳ね返されずに残った細菌及び真菌等８１に対して、さらに効率よく抗菌効果を奏することができる。また、内層１２において、吸着された細菌及び真菌等８１に対して、さらに効率よく抗菌効果を奏することができる。
【００６６】
以下、第６実施形態に係る抗菌マスクについて説明する。図８は、第６実施形態に係る抗菌マスクの構造の模式図である。第６実施形態に係る抗菌マスクの説明においては、第３実施形態と異なる点についてのみ説明を行い、同様の点については説明を省略する。
【００６７】
図８に示すように、第６実施形態に係る抗菌マスク５６は、フィルタ１０６を備える。フィルタ１０６は、外層１１と内層１２と中間層１３とを備える。中間層１３は、外層１１と内層１２との間に配置される。中間層１３には、複数の第１圧電繊維３１及び複数の第２圧電繊維３２が配置されている。
【００６８】
使用時にフィルタ１０６が延伸されると、内層１２において、第２圧電繊維３２の表面には正の電荷が発生する。内層１２において、第２圧電繊維３２が発生する正の電荷により細菌及び真菌等８１は内層１２に吸着される。また、中間層１３において、正及び負の電荷が共に発生するため、第１圧電繊維３１及び第２圧電繊維３２の間では比較的大きな電圧が発生する。これにより、内層１２に吸着した、又は外層１１において跳ね返されずに残った細菌及び真菌等８１に対して、さらに効率よく抗菌効果を奏することができる。
【００６９】
以上の様な、フィルタ１０１〜１０６は、マスク以外に各種の衣料、又は医療部材等の製品に適用可能である。例えば、フィルタ１０１〜１０６は、肌着（特に靴下）、タオル、靴及びブーツ等の中敷き、スポーツウェア全般、帽子、寝具（布団、マットレス、シーツ、枕、枕カバー等を含む。）、歯ブラシ、フロス、浄水器、エアコン又は空気清浄器のフィルタ等、ぬいぐるみ、ペット関連商品（ペット用マット、ペット用服、ペット用服のインナー）、各種マット品（足、手、又は便座等）、カーテン、台所用品（スポンジ又は布巾等）、シート（車、電車又は飛行機等のシート）、オートバイ用ヘルメットの緩衝材及びその外装材、ソファ、包帯、ガーゼ、縫合糸、医者及び患者の服、サポーター、サニタリ用品、スポーツ用品（ウェア及びグローブのインナー、又は武道で使用する籠手等）、あるいは包装資材等に適用することができる。
【００７０】
衣料のうち、特に靴下（又はサポータ）は、歩行等の動きによって、関節に沿って必ず伸縮が生じるため、フィルタ１０１〜１０６は、高頻度で電荷を発生する。また、靴下は、汗などの水分を吸い取り、菌の増殖の温床となるが、フィルタ１０１〜１０６は、菌の増殖を抑制することができるため、防臭のための菌対策用途として、顕著な効果を生じる。
【００７１】
また、フィルタ１０１〜１０６は、人間を除いた動物の体表面の菌抑制方法としても使用可能であり、動物の皮膚の少なくとも一部に、圧電体を含んだ布を対向させるように配置し、前記圧電体に外力が加えられた時に発生する電荷によって、前記布と対向する前記動物の体表面の菌の増殖を抑制してもよい。これにより、簡素な方法で、薬剤等の使用よりも安全性の高い、動物の体表面の菌の増殖を抑制し、及び動物の体表面の白癬菌治療することができる。
【００７２】
なお、ＷＯ２０１５／１５９８３２には、複数の圧電糸と導電糸とを用いて編物又は織物にし、これに変位が加わった事をセンシングするトランスデューサが開示されている。この場合、導電糸は、すべて検知回路に接続されており、一本の圧電糸に対して必ず対の導電糸が存在する。ＷＯ２０１５／１５９８３２では、圧電糸に電荷が発生した時、導電糸を電子が移動し、圧電糸に発生した電荷を即座に中和する。ＷＯ２０１５／１５９８３２では、この電子の移動による電流を検知回路が捉えて信号として出力する。従ってこの場合、発生した電位は即座にキャンセルされるので、圧電糸と導電糸との間、及び圧電糸と圧電糸との間に強い電場が形成される事がなく、抗菌効果は発揮されない。
【００７３】
以下、上記医療部材のうち、ガーゼを例に挙げて説明する。図９（Ａ）は、第７実施形態に係る抗菌ガーゼの構造の模式図であり、図９（Ｂ）は、第８実施形態に係る抗菌ガーゼの構造の模式図であり、図９（Ｃ）は、第９実施形態に係る抗菌ガーゼの構造の模式図である。なお、図９（Ａ）〜図９（Ｃ）においては、主要な構成のみを表している。また、第８実施形態及び第９実施形態に係る抗菌ガーゼの説明においては、第７実施形態と同様の構成については説明を省略する。
【００７４】
図９（Ａ）に示すように、第７実施形態に係る抗菌ガーゼ１０７は、例えば、絆創膏等の皮膚Ｓの傷口Ｗに宛がうものである。抗菌ガーゼ１０７は、フィルタ１０１と同様に、外層１１を備える。
【００７５】
使用時に抗菌ガーゼ１０７が延伸されると、外層１１において、第１圧電繊維３１の表面には負の電荷が発生する。これにより、外層１１において細菌及び真菌等８１を跳ね返すことができる。また、皮膚Ｓの動物細胞は、負の電荷を帯びている。外層１１の第１圧電繊維３１が伸張する際に発生する負の電荷と皮膚Ｓの動物細胞が帯びている負の電荷とは反発する。このため、皮膚Ｓの動物細胞は抗菌ガーゼ１０７に貼りつきにくい。抗菌ガーゼ１０７は皮膚Ｓの傷口Ｗに触れ難く、通気性も向上するため、傷の治癒を早めることができる。また、第１圧電繊維３１によって発生する電荷によって細胞が刺激されることによって、さらに傷の治癒を早めることができる。
【００７６】
図９（Ｂ）に示すように、第８実施形態に係る抗菌ガーゼ１０８は、抗菌ガーゼ１０７にさらに中間層１３を外側に積層させたものである。中間層１３は、第１圧電繊維３１及び第２圧電繊維３２を備える。
【００７７】
中間層１３において、正及び負の電荷が共に発生するため、第１圧電繊維３１及び第２圧電繊維３２の間では比較的大きな電圧が発生する。抗菌ガーゼ１０８に血液や体液が付着し、外層１１において跳ね返されずに残った細菌及び真菌等８１に対して、効率よく抗菌効果を奏することができる。これにより、細菌及び真菌等８１を跳ね返すだけでなく、菌の増殖を抑制することができる。
【００７８】
図９（Ｃ）に示すように、第９実施形態に係る抗菌ガーゼ１０９は、フィルタ１０６と同様に、外層１１と内層１２と中間層１３とを備える。内層１２は、第２圧電繊維３２を備える。
【００７９】
使用時に抗菌ガーゼ１０９が延伸されると、内層１２において、第２圧電繊維３２の表面には正の電荷が発生する。内層１２の第２圧電繊維３２が発生する正の電荷と皮膚Ｓの動物細胞が帯びている負の電荷とは引き付けあう。このため、皮膚Ｓの動物細胞は抗菌ガーゼ１０９に密着する。このため、比較的通気性を阻むため、乾燥することが好ましくない患部に対応することができる。また、第２圧電繊維３２によって発生する電荷によって細胞が刺激されることによって、さらに傷の治癒を早めることができる。
【００８０】
なお、本実施形態のフィルタ１０１〜１０６は、菌対策用途以外にも、以下の様な用途を有する。
【００８１】
（１）生体作用圧電繊維製品
生体を構成する組織には圧電性を有するものが多い。例えば、人体を構成するコラーゲンは、タンパク質の一種であり、血管、真皮、じん帯、健、骨、又は軟骨等に多く含まれている。コラーゲンは、圧電体であり、コラーゲンが配向した組織は非常に大きな圧電性を示す場合がある。骨の圧電性については既に多くの報告がなされている（例えば、深田栄一，生体高分子の圧電気、高分子Vol.16(1967)No.9 p795-800等を参照）。従って、第１圧電繊維３１又は第２圧電繊維３２を備えたフィルタにより電場が生じ、該電場が交番するか、又は該電場の強度が変化すると、生体の圧電体は、逆圧電効果によって振動を生じる。第１圧電繊維３１及び／又は第２圧電繊維３２によって生じる交番電場、あるいは電場強度の変化により、生体の一部、例えば毛細血管や真皮に微小な振動が加えられ、その部分の血流の改善を促すことができる。これにより皮膚疾患や傷等の治癒が促される可能性がある。従って、フィルタ１０１〜１０６は、生体作用圧電繊維製品として機能する。
【００８２】
（２）物質吸着用圧電繊維製品
上述したように、第１圧電繊維３１は、外力が係った場合に、負の電荷を生じる。第２圧電繊維３２は、外力が係った場合に、正の電荷を生じる。そのため、第１圧電繊維３１は、正の電荷を有する物質（例えば花粉等の粒子）を吸着する性質を有し、第２圧電繊維３２は、負の電荷を有する物質（例えば黄砂等の有害物質等）を吸着する。従って、第１圧電繊維３１及び第２圧電繊維３２を備えたフィルタ１０３〜１０６は、例えばマスク等の医療用品、又は、エアコンディショナー若しくは空気清浄機等の空調装置用のフィルタに適用した場合に、花粉及び黄砂等の微粒子を吸着することができる。以下に、例を挙げ説明する。
【００８３】
図１０（Ａ）は、第１０実施形態に係るフィルタの模式図である。図１０（Ｂ）及び図１０（Ｃ）は、図１０（Ａ）のＣ−Ｃ線における切断部端面図である。図１１（Ａ）〜１１（Ｄ）は、第１０実施形態に係るフィルタの構造の模式図であり、該フィルタの変化について説明する図である。なお、第１０実施形態に係るフィルタの説明においては、先に述べた実施形態と同様の構成については説明を省略する。また、図１０（Ａ）〜図１０（Ｃ）においては、フィルタを構成する枠材１１１、第１圧電繊維３１、及び第２圧電繊維３２のみ示し、普通糸等の他のフィルタを構成する構成については省略して示している。なお、枠材１１１は、本発明における「保持部材」の一例である。
【００８４】
第１０実施形態に係るフィルタ１１０は、例えば、空調機又は空気清浄機等のフィルタとして用いられる。図１０（Ａ）に示すように、フィルタ１１０は、枠材１１１と、フィルタ部１１２とを備える。フィルタ部１１２は、枠材１１１に固定されている。
【００８５】
フィルタ部１１２は、第１圧電繊維３１又は第２圧電繊維３２を備えた織物又は不織布等である。例えば、フィルタ部１１２を構成する縦糸の一部は第１圧電繊維３１であって、フィルタ部１１２を構成する横糸の一部は第２圧電繊維３２である。ここで説明の便宜上、フィルタ部１１２は、不使用時に主に正の電荷が発生し、伸長した時に主に負の電荷が発生するように構成されているものについて説明する。なお、フィルタ部１１２としては、正又は負のいずれか一方の電荷の大きさのみが変化するものであってもよい。
【００８６】
図１０（Ｂ）に示すように、フィルタ部１１２は、不使用時においては平坦な形状を維持している。不使用時において、フィルタ部１１２は、横糸方向に張力をかけた状態で枠材１１１等の固定部材に固定されていてもよい。すなわち、第２圧電繊維３２が伸長した状態で枠材１１１等の固定部材に固定されている。この場合、例えば、図１１（Ａ）に示すように、使用時においてフィルタ部１１２は張力がかかり易く、正の電荷を発生することができる。
【００８７】
フィルタ部１１２は、使用時において矢印で示す向きに風を受けると、図１０（Ｃ）に示すように変形しながら振動する。フィルタ部１１２の振動とは、例えば図１０（Ｃ）に示す状態と図１０（Ｂ）に示す状態とを繰り返すことを示す。
【００８８】
フィルタ部１１２が振動すると、フィルタ部１１２の第１圧電繊維３１及び第２圧電繊維３２が伸縮する。このとき、特に縦糸である第１圧電繊維３１が大きく伸縮するため、負の電荷が発生しやすい。このように、フィルタ部１１２が変形すると、例えば、図１１（Ｂ）に示すように、フィルタ部１１２において、負の電荷が発生する。これにより、一度表面側に吸着した塵８２とフィルタ部１１２との吸着力が弱まる。従って、フィルタ部１１２に吸着した塵８２が、フィルタ部１１２において移動しやすくなる。また、フィルタ部１１２は使用時において絶えず変形しながら振動するため、電荷の発生状況は変動を続ける。
【００８９】
ここで、フィルタ部１１２の内部側に正の電荷がある場合、図１１（Ｃ）に示すように、塵８２は内部側にひき寄せられる。これにより、フィルタ部１１２は内部に塵８２を保持しつつ、振動することにより表面にさらに正の電荷を発生させることができる。このため、図１１（Ｄ）に示すように、フィルタ部１１２は塵８２をさらに表面に吸着することができる。このように、フィルタ部１１２は、振動することによって、吸着力を長く発揮することができる。
【００９０】
なお、フィルタ部１１２は表面に近いほど目が粗く、内部に近いほど目が細かい構造であることが好ましい。フィルタ１１０は、フィルタ部１１２の表面で塵８２を引き付ける。この後、表面に吸着した塵８２は、フィルタ部１１２の動きや電荷の発生状況の変動に応じて移動する。このとき、フィルタ部１１２の表面が粗いと塵８２はフィルタ部１１２の内部に入りこみやすい。従って、フィルタ部１１２は、一度フィルタ部１１２の表面で捕獲した塵８２をフィルタ部１１２の内部に取り込みやすくなる。また逆に、フィルタ部１１２は、一度フィルタ部１１２の内部に取り込まれた塵８２をフィルタ部１１２の外部に流出し難くすることができる。これにより、フィルタ部１１２の塵８２を保持する効果を高めることができる。
【００９１】
なお、図１０では横糸である第１圧電繊維３１は伸張時に負の電荷を発生し、縦糸である第２圧電繊維３２は伸張時に正の電荷を発生し、としているが、横糸に第２圧電繊維３２を、また縦糸に第１圧電繊維３１を用いても構わない。例えば、縦糸及び横糸共に第１圧電繊維３１が用いられる場合、伸張時に負の電荷を発生し、縦糸及び横糸共に第２圧電繊維３２が用いられる場合、伸張時に正の電荷を発生することができる。
【００９２】
次に、第１０実施形態に係るフィルタ１１０の変形例１〜３について説明する。図１２（Ａ）は、第１０実施形態に係るフィルタの変形例１の模式図であり、図１２（Ｂ）及び図１２（Ｃ）は、図１２（Ａ）のＤ−Ｄ線における切断部端面図である。図１３（Ａ）は、第１０実施形態に係るフィルタの変形例２の模式図であり、図１３（Ｂ）及び図１３（Ｃ）は、図１３（Ａ）のＥ−Ｅ線における切断部端面図である。図１４（Ａ）は、第１０実施形態に係るフィルタの変形例３の模式図であり、図１４（Ｂ）及び図１４（Ｃ）は、図１４（Ａ）のＦ−Ｆ線における切断部端面図である。なお、変形例１〜３においては、第１０実施形態に係るフィルタ１１０と異なる点のみについて説明を行い、後は説明を省略する。
【００９３】
図１２（Ａ）及び図１２（Ｂ）に示すように、変形例１に係るフィルタ１２０は、枠材１２１の形状が枠材１１１と異なる。枠材１２１は格子状に形成されている。フィルタ部１２２は、枠材１２１に固定されている。このため、第１圧電繊維３１及び第２圧電繊維３２は細かい区画に区切られた状態で枠材１２１に固定されている。なお、枠材１２１は、本発明における「保持部材」の一例である。
【００９４】
図１２（Ｃ）に示すように、使用時において、フィルタ部１２２は、矢印で示す向きに風を受けると、変形しながら振動する。枠材１２１がフィルタ部１２２と比較して伸縮しにくい素材で形成されている場合、フィルタ部１２２は、枠材１２１によって区切られた区画毎に振動する。これにより、フィルタ部１２２の伸縮は、フィルタ部１１２と比べて、全体的に均等となる。
【００９５】
また、枠材１２１を区画が均一な格子状に形成した場合、格子の区画毎のフィルタ部１２２の伸縮がより均一になる。従って、フィルタ部１２２全体として均一に電荷が発生する。このため、フィルタ１２０は、塵８２をフィルタ部１２２で均一に吸着することができる。従って、フィルタ１２０は、フィルタ部１２２の一部が目詰まりすることを防止できる。なお、枠材１２１の素材や太さ等を変更することにより、適宜フィルタ１２０に、使用状態に適した強度を持たせることができる。
【００９６】
図１３（Ａ）に示すように、変形例２に係るフィルタ１３０は、変形例１と同様に枠材１３１の形状は格子状であるが、フィルタ部１３２の形状が異なる。図１３（Ａ）及び図１３（Ｂ）に示すように、フィルタ部１３２は、フィルタ１３０の一主面１３３側から他方の主面１３４に向かって突出するように立体的に形成されている。フィルタ部１３２の表面積は立体的に形成されているため、変形例１のフィルタ部１２２と比べて、フィルタ部１３２の表面積は広い。なお、枠材１３１は、本発明における「保持部材」の一例である。
【００９７】
図１３（Ｃ）に示すように、フィルタ部１３２は、矢印で示す向きに風を受けると、変形しながら振動する。このとき、フィルタ部１３２の表面積は広いため、フィルタ１３０は、フィルタ１２０と比べてより多くの塵８２を吸着し、保持することができる。
【００９８】
図１４（Ａ）に示すように、変形例３に係るフィルタ１４０は、フィルタ部１４２の形状がフィルタ１１０と異なる。フィルタ部１４２は、図１４（Ａ）及び図１４（Ｂ）に示すように、蛇腹に形成されている。このため、フィルタ部１４２の表面積は広く形成されるため、フィルタ１４０は、より多くの塵８２を吸着し、保持することができる。
【００９９】
また、図１４（Ｃ）に示すように、使用時において、フィルタ部１４２は、矢印で示す向きに風を受けると、変形しながら振動する。このとき、フィルタ部１４２は蛇腹に形成されているため、フィルタ１１０のように平面状に形成された場合と比べて動きが大きくなる。これにより、フィルタ１４０は、フィルタ１１０と比べてより大きな電荷を発生することができる。すなわち、フィルタ１４０は、フィルタ１１０と比べて塵８２の吸着力が強くなる。従って、フィルタ１４０は、フィルタ１１０と比べてより速やかに塵８２を吸着し、保持することができる。
【０１００】
さらに、フィルタ部１４２は蛇腹に形成されているため、図１４（Ｃ）に示す矢印で示す向きと異なる向きにも振動が生じる。例えば、フィルタ部１４２において風を受ける側から窪む箇所１４５で空気が渦を巻いて移動することにより、フィルタ部１４２は、図１４（Ｃ）に示す矢印に垂直な方向の振動が生じる。これにより、フィルタ部１４２はより複雑な動きをするため、フィルタ部１４２での電荷の発生もより複雑となる。このため、フィルタ１４０は、一度フィルタ部１４２の表面で捕獲した塵８２を、フィルタ部１４２の内部にさらに取り込みやすくなる。
【０１０１】
図１５は、空調装置においてフィルタを使用する場合の模式図である。図１５においては、フィルタ１１０を使用する場合を一例として説明する。空調装置１５０は、吸気口１５１、排気口１５２、及び吸気口１５１と排気口１５２とを連通させる連通路１５３を備える。フィルタ１１０は、例えば連通路１５３に配置される。これにより、連通路１５３を流通する気体中の花粉及び黄砂等の微粒子を吸着することができる。
【０１０２】
なお、芯糸に導電体を用いて、当該導電体に絶縁体を巻き、該導電体に電気を流して電荷を発生させる構成も、電荷を発生する繊維である。ただし、圧電体は、圧電により電場を生じさせるため、電源が不要であるし、感電のおそれもない。また、圧電体の寿命は、薬剤等による抗菌効果よりも長く持続する。また、薬剤よりもアレルギー反応が生じるおそれは低い。また、薬剤、特に抗生物質等による耐性菌の発現が近年大きな問題となっているが、本発明による殺菌方法ではメカニズム上、耐性菌を生じることが考えられない。
【０１０３】
なお、表面に負の電荷を生じる繊維としては、ＰＬＬＡを用いたＳ糸の他にも、ＰＤＬＡを用いたＺ糸も考えられる。また、表面に正の電荷を生じる繊維としては、ＰＬＬＡを用いたＺ糸の他にも、ＰＤＬＡを用いたＳ糸も考えられる。
【０１０４】
なお、延伸時に表面に負の電荷を生じる繊維としてＰＬＬＡを用いたＳ糸を、延伸時に表面に正の電荷を生じる繊維としてＰＬＬＡを用いたＺ糸を、例示したが、この構造に限ることない。例えば、第１圧電繊維３１の代わりに、延伸時に表面に負の電荷を生じる繊維であれば他の繊維も使用可能である。同様に第２圧電繊維３２の代わりに、延伸時に表面に正の電荷を生じる繊維であれば他の繊維も使用可能である。逆に収縮時に正又は負の電荷を生じる繊維を用いることも可能である。
【０１０５】
また本実施形態では第１圧電繊維３１と第２圧電繊維３２との間で電位差が生じていれば効果が得られる。仮に、第１圧電繊維３１と第２圧電繊維３２とで同じ極性の電荷が発生する場合であっても、各圧電繊維の電荷の発生量が異なっていれば同様の効果を得ることが出来る。例えば、撚り数の異なる圧電繊維の組み合わせ、フィラメント数の異なる圧電繊維の組み合わせ、フィラメント径の異なる圧電繊維の組み合わせ、圧電定数の異なる圧電繊維の組み合わせ、またこれらの条件を複合した圧電繊維の組み合わせなどが挙げられる。
【０１０６】
なお、本実施形態に係るフィルタは、上記の実施形態以外に、例えば、網戸等にも適応できる。網戸等において、フィルタを備えるメッシュシートは、張力をかけた状態で枠に固定される。定常状態においてフィルタは張力がかかった状態が維持されている。従って、外部環境により発生する微小な振動等によりフィルタに張力が加わり、容易に抗菌効果等を奏することができる。
【０１０７】
最後に、本実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味お範囲内でのすべての変更が含まれることが意図される。
【符号の説明】
【０１０８】
２１…第１主面
２２…第２主面
３１…第１圧電繊維（右旋回糸：Ｓ糸）
３２…第２圧電繊維（左旋回糸：Ｚ糸）
５１，５２，５３，５４，５５，５６…抗菌マスク
１０１，１０２，１０３，１０４，１０５，１０６，１１０，１２０，１３０，１４０…フィルタ
１０７，１０８，１０９…抗菌ガーゼ（フィルタ）
【図１】
2019077957.tif 000003
【図２】
2019077957.tif 000004
【図３】
2019077957.tif 000005
【図４】
2019077957.tif 000006
【図５】
2019077957.tif 000007
【図６】
2019077957.tif 000008
【図７】
2019077957.tif 000009
【図８】
2019077957.tif 000010
【図９】
2019077957.tif 000011
【図１０】
2019077957.tif 000012
【図１１】
2019077957.tif 000013
【図１２】
2019077957.tif 000014
【図１３】
2019077957.tif 000015
【図１４】
2019077957.tif 000016
【図１５】
2019077957.tif 000017
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
第１繊維層とこれに隣接する第２繊維層とを備え、
前記第１繊維層は、伸縮により負の電荷を発生する第１圧電繊維を含む、
フィルタ。
【請求項２】
第１繊維層とこれに隣接する第２繊維層とを備え、
前記第２繊維層は、伸縮により正の電荷を発生する第２圧電繊維を含む、
フィルタ。
【請求項３】
前記第１繊維層と前記第２繊維層は、導電性を有さない繊維で構成される、
請求項１又は２に記載のフィルタ。
【請求項４】
前記第１圧電繊維は張力をかけた状態を維持して保持部材に固定される、請求項１又は３に記載のフィルタ。
【請求項５】
前記第２圧電繊維は張力をかけた状態を維持して保持部材に固定される、請求項２又は３に記載のフィルタ。
【請求項６】
前記第１圧電繊維からなる縦糸と、前記第１圧電繊維からなる横糸と、を有する布帛であって、
前記縦糸および前記横糸は、前記保持部材に固定される、請求項４に記載のフィルタ。
【請求項７】
前記第２圧電繊維からなる縦糸と、前記第２圧電繊維からなる横糸と、を有する布帛であって、
前記縦糸および前記横糸は、前記保持部材に固定される、請求項５に記載のフィルタ。
【請求項８】
請求項１〜７のいずれか一項に記載のフィルタと、
吸気口と、
排気口と、
前記吸気口と前記排気口とを連通させる連通路と、を備え、
前記フィルタは前記連通路に配置される、
空調装置。
【国際調査報告】
2019077957.tif 000018
2019077957.tif 000019
2019077957.tif 000020
2019077957.tif 000021